(57)【要約】【課題】複数のコンテンツが記録された大容量テープメディアを再生する。【解決手段】テープメディアのタイトルリストには、コンテンツ数表示領域５１、合計時間表示領域５２、ジャンル表示領域５３、コンテンツ表示領域５６、カーソル５７が表示される。このコンテンツ表示領域５６に表示されているコンテンツの中から所望のコンテンツをカーソル５７で選択する。選択されたコンテンツの先頭のアドレスが読み出され、コンテンツの映像データが再生される。【選択図】    図５
2004185697.tif 000002
【特許請求の範囲】
【請求項１】
複数のコンテンツが記録されたテープメディアと、
上記複数のコンテンツのタイトルリストと、上記タイトルリスト内で選択されたコンテンツの詳細情報とを表示する表示部と、
上記表示されたタイトルリストと、上記タイトルリスト内で選択されたコンテンツの詳細情報から所望のコンテンツを選択する選択手段と、
上記選択されたコンテンツを上記テープメディアから再生する再生手段と
を有することを特徴とするテープ再生装置。
【請求項２】
暗号化された複数のコンテンツと、各コンテンツの詳細情報とが記録されたテープメディアと、
上記テープメディアのパッケージに設けられ、上記複数のコンテンツのタイトルリストが記録されたメモリと、
上記タイトルリストと、上記タイトルリスト内で選択されたコンテンツの詳細情報とを表示する表示部と、
上記表示されたタイトルリストまたは詳細情報から所望のコンテンツを選択する選択手段と、
上記選択されたコンテンツのデータを上記テープメディアから読み出す読み出し手段と、
上記読み出されたコンテンツのデータを復号する復号手段と
を有することを特徴とするテープ再生装置。
【請求項３】
上記タイトルリストは、上記テープメディアにも記録されていることを特徴とする請求項２に記載のテープ再生装置。
【請求項４】
上記タイトルリストは、上記テープメディアに記録されている全てのコンテンツをそれぞれのジャンル毎に表示するようにしたことを特徴とする請求項２に記載のテープ再生装置。
【請求項５】
上記暗号化された複数のコンテンツを復号するときの復号鍵は、上記複数のコンテンツを暗号化するときの暗号方式と異なる暗号方式で暗号化され上記テープメディアに記録されていることを特徴とする請求項２に記載のテープ再生装置。
【請求項６】
上記暗号化された複数のコンテンツを復号するときの復号鍵は、上記複数のコンテンツを暗号化するときの暗号方式と異なる暗号方式で暗号化されて上記テープメディアに記録されていることを特徴とする請求項２に記載のテープ再生装置。
【請求項７】
上記テープメディアに記録された上記コンテンツのタイトルリストと、上記テープメディアに記録された上記複数のコンテンツを復号するときの復号鍵とを再試行を伴う読み出しで読み出すようにしたことを特徴とする請求項２に記載のテープ再生装置。
【請求項８】
上記テープメディアには、上記記録されている複数のコンテンツのチャプタ情報およびシーン情報が記録されていることを特徴とする請求項２に記載のテープ再生装置。
【請求項９】
上記チャプタ情報およびシーン情報は、縮小画像とその時刻とから構成されるようにしたことを特徴とする請求項８に記載のテープ再生装置。
【請求項１０】
上記テープメディアは、複数のパーティションに分割されていることを特徴とする請求項２に記載のテープ再生装置。
【請求項１１】
上記複数のパーティションのそれぞれに上記複数のコンテンツのタイトルリストが記録されていることを特徴とする請求項１０に記載のテープ再生装置。
【請求項１２】
上記テープメディアの複数のパーティションの最後のパーティションには、コンテンツとは異なるデータを記録するようにしたことを特徴とする請求項１０に記載のテープ再生装置。
【請求項１３】
１つのパーティションに、１つまたは２つ以上のコンテンツを記録するようにしたことを特徴とする請求項１０に記載のテープ再生装置。
【請求項１４】
テープメディアに記録された複数のコンテンツのタイトルリストと、上記タイトルリスト内で選択されたコンテンツの詳細情報とを表示するステップと、
上記表示されたタイトルリストと、上記タイトルリスト内で選択されたコンテンツの詳細情報から所望のコンテンツを選択するステップと、
上記選択されたコンテンツを上記テープメディアから再生するステップと
を有することを特徴とするテープ再生方法。
【請求項１５】
テープメディアのパッケージに設けられたメモリに記録されたタイトルリストと、上記テープメディアに記録された上記タイトルリスト内で選択されたコンテンツの詳細情報とを表示するステップと、
上記表示されたタイトルリストまたは詳細情報から所望のコンテンツを選択するステップと、
上記テープメディアに記録された暗号化された複数のコンテンツの中から上記選択されたコンテンツのデータを読み出すステップと、
上記読み出されたコンテンツのデータを復号するステップと
を有することを特徴とするテープ再生方法。
【請求項１６】
上記タイトルリストは、上記テープメディアにも記録されていることを特徴とする請求項１５に記載のテープ再生方法。
【請求項１７】
上記タイトルリストは、上記テープメディアに記録されている全てのコンテンツをそれぞれのジャンル毎に表示するようにしたことを特徴とする請求項１５に記載のテープ再生方法。
【請求項１８】
上記暗号化された複数のコンテンツを復号するときの復号鍵は、上記複数のコンテンツを暗号化するときの暗号方式と異なる暗号方式で暗号化され上記テープメディアに記録されていることを特徴とする請求項１５に記載のテープ再生方法。
【請求項１９】
上記暗号化された複数のコンテンツを復号するときの復号鍵は、上記複数のコンテンツを暗号化するときの暗号方式と異なる暗号方式で暗号化されて上記テープメディアに記録されていることを特徴とする請求項１５に記載のテープ再生方法。
【請求項２０】
上記テープメディアに記録された上記コンテンツのタイトルリストと、上記テープメディアに記録された上記複数のコンテンツを復号するときの復号鍵とを再試行を伴う読み出しで読み出すようにしたことを特徴とする請求項１５に記載のテープ再生方法。
【請求項２１】
上記テープメディアには、上記記録されている複数のコンテンツのチャプタ情報およびシーン情報が記録されていることを特徴とする請求項１５に記載のテープ再生方法。
【請求項２２】
上記チャプタ情報およびシーン情報は、縮小画像とその時刻とから構成されるようにしたことを特徴とする請求項８に記載のテープ再生方法。
【請求項２３】
上記テープメディアは、複数のパーティションに分割されていることを特徴とする請求項１５に記載のテープ再生方法。
【請求項２４】
上記複数のパーティションのそれぞれに上記複数のコンテンツのタイトルリストが記録されていることを特徴とする請求項２３に記載のテープ再生方法。
【請求項２５】
上記テープメディアの複数のパーティションの最後のパーティションには、コンテンツとは異なるデータを記録するようにしたことを特徴とする請求項２３に記載のテープ再生方法。
【請求項２６】
１つのパーティションに、１つまたは２つ以上のコンテンツを記録するようにしたことを特徴とする請求項２３に記載のテープ再生方法。
【請求項２７】
記録部は、
複数のコンテンツのタイトルリストおよび詳細情報を作成する作成手段と、
上記タイトルリスト、詳細情報および暗号化された上記複数のコンテンツをテープメディアに記録する記録手段とを有し、
再生部は、
上記テープメディアのパッケージに設けられたメモリに記録されたタイトルリストと、上記テープメディアに記録された上記タイトルリスト内で選択されたコンテンツの詳細情報とを表示する表示部と、
上記表示されたタイトルリストまたは詳細情報から所望のコンテンツを選択する選択手段と、
上記選択されたコンテンツのデータを上記テープメディアから読み出す読み出し手段と、
上記読み出されたコンテンツのデータを復号する復号手段とを有し、
上記暗号化された複数のコンテンツを復号するときの復号鍵は、上記複数のコンテンツを暗号化するときの暗号方式と異なる暗号方式で暗号化され上記テープメディアに記録されていることを特徴とするテープ記録再生装置。
【請求項２８】
上記暗号化された複数のコンテンツを復号するときの復号鍵は、上記複数のコンテンツを暗号化するときの暗号方式と異なる暗号方式で暗号化されて上記テープメディアに記録されていることを特徴とする請求項２７に記載のテープ記録再生装置。
【請求項２９】
上記タイトルリストは、上記テープメディアのパッケージに設けられたメモリにも記録されてることを特徴とする請求項２７に記載のテープ記録再生装置。
【請求項３０】
上記タイトルリストは、上記テープメディアに記録されている全てのコンテンツをそれぞれのジャンル毎に表示するようにしたことを特徴とする請求項２７に記載のテープ記録再生装置。
【請求項３１】
上記テープメディアに記録された上記コンテンツのタイトルリストと、上記テープメディアに記録された上記複数のコンテンツを復号するときの復号鍵とを再試行を伴う読み出しで読み出すようにしたことを特徴とする請求項２７に記載のテープ記録再生装置。
【請求項３２】
上記テープメディアには、上記記録されている複数のコンテンツのチャプタ情報およびシーン情報が記録されていることを特徴とする請求項２７に記載のテープ記録再生装置。
【請求項３３】
上記チャプタ情報およびシーン情報は、縮小画像とその時刻とから構成されるようにしたことを特徴とする請求項３４に記載のテープ記録再生装置。
【請求項３４】
上記テープメディアは、複数のパーティションに分割されていることを特徴とする請求項２７に記載のテープ記録再生装置。
【請求項３５】
上記複数のパーティションのそれぞれに上記複数のコンテンツのタイトルリストが記録されていることを特徴とする請求項３４に記載のテープ記録再生装置。
【請求項３６】
上記テープメディアの複数のパーティションの最後のパーティションには、コンテンツとは異なるデータを記録するようにしたことを特徴とする請求項３４に記載のテープ記録再生装置。
【請求項３７】
１つのパーティションに、１つまたは２つ以上のコンテンツを記録するようにしたことを特徴とする請求項３４に記載のテープ記録再生装置。
【請求項３８】
上記暗号化は、コンテンツを構成するブロック単位のデータストリームの一部のブロックを暗号化し、他のブロックは暗号化しないようにしたことを特徴とする請求項２７に記載のテープ記録再生装置。
【請求項３９】
上記暗号化は、コンテンツを構成するブロック単位のデータストリームのブロック内の一部のデータのみ暗号化するようにしたことを特徴とする請求項２７に記載のテープ記録再生装置。
【請求項４０】
ブロック単位のデータストリームであって、一部のブロックを暗号化し、他のブロックは暗号化しないようにしたことを特徴とする暗号化方法。
【請求項４１】
ブロック単位のデータストリームであって、ブロック内の一部のデータのみ暗号化するようにしたことを特徴とする暗号化方法。
【発明の詳細な説明】
【０００１】
【発明の属する技術分野】
この発明は、大容量データが記録されたテープを再生することができるテープ再生装置、方法、およびテープ記録再生装置、並びに暗号化方法に関する。
【０００２】
【従来の技術】
現在、映画またはテレビ番組のような大容量データを記録／再生する装置として、ＶＴＲ（Ｖｉｄｅｏ  Ｔａｐｅ  Ｒｅｃｏｒｄｅｒ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ）、ＤＶＤ−ＲＡＭ（Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ）などが一般的に使用されている。
【０００３】
そして、１つの記録媒体で数十時間の映像、例えば複数の映画および／または複数のテレビ番組などからなる複数のコンテンツを記録／再生することが望まれている。
【０００４】
【特許文献１】
特開平６−８９５４３号公報
【特許文献２】
特開２００１−２９８６９６号公報
【特許文献３】
特表２０００−５１３４６号公報
【０００５】
【発明が解決しようとする課題】
しかしながら、ＶＴＲやＤＶＤでは、１つの記録媒体で、例えば複数のコンテンツを記録／再生することができない問題があった。
【０００６】
これに対して、ネットワークを経由して複数のコンテンツの転送を可能にしたネットワーク接続可能なＨＤＤ（Ｈａｒｄ  Ｄｉｓｋ  Ｄｒｉｖｅ）レコーダやＡＶ（Ａｕｄｉｏ  Ｖｉｓｕａｌ）サーバなどがある。
【０００７】
だが、このネットワーク接続可能なＨＤＤレコーダやＡＶサーバであっても、ネットワークの接続ができない環境では、複数のコンテンツを転送することは困難であった。
【０００８】
そこで、現在使用されている記録媒体の中から最も大容量となるテープメディアを使用して、複数のコンテンツを１つの記録媒体で記録／再生することが考えられている。
【０００９】
しかしながら、テープメディアでは、ＤＶＤ−Ｒ、ＤＶＤ−ＲＡＭ、ＨＤＤレコーダなどのディスクメディアようなチャプタサーチ機能が実現できない問題や、ディスクメディアに比較して、任意の位置への頭出しに時間を要する問題などがあった。なお、任意の位置への頭出しに時間を要するため、テープ内の記録情報の情報テーブルを持った場合に、その情報テーブルの読み出しに時間を要する問題があった。
【００１０】
従って、この発明の目的は、複数のコンテンツのような大容量データを記録／再生することができるテープ再生装置、方法、およびテープ記録再生装置、並びに暗号化方法を提供することにある。
【００１１】
【課題を解決するための手段】
上述した課題を達成するために請求項１の発明は、複数のコンテンツが記録されたテープメディアと、複数のコンテンツのタイトルリストと、タイトルリスト内で選択されたコンテンツの詳細情報とを表示する表示部と、表示されたタイトルリストと、タイトルリスト内で選択されたコンテンツの詳細情報から所望のコンテンツを選択する選択手段と、選択されたコンテンツをテープメディアから再生する再生手段とを有することを特徴とするテープ再生装置である。
【００１２】
請求項２に記載の発明は、暗号化された複数のコンテンツと、各コンテンツの詳細情報とが記録されたテープメディアと、テープメディアのパッケージに設けられ、複数のコンテンツのタイトルリストが記録されたメモリと、タイトルリストと、タイトルリスト内で選択されたコンテンツの詳細情報とを表示する表示部と、表示されたタイトルリストまたは詳細情報から所望のコンテンツを選択する選択手段と、選択されたコンテンツのデータをテープメディアから読み出す読み出し手段と、読み出されたコンテンツのデータを復号する復号手段とを有することを特徴とするテープ再生装置である。
【００１３】
請求項１４に記載の発明は、テープメディアに記録された複数のコンテンツのタイトルリストと、タイトルリスト内で選択されたコンテンツの詳細情報とを表示するステップと、表示されたタイトルリストと、タイトルリスト内で選択されたコンテンツの詳細情報から所望のコンテンツを選択するステップと、選択されたコンテンツをテープメディアから再生するステップとを有することを特徴とするテープ再生方法である。
【００１４】
請求項１５に記載の発明は、テープメディアのパッケージに設けられたメモリに記録されたタイトルリストと、テープメディアに記録されたタイトルリスト内で選択されたコンテンツの詳細情報とを表示するステップと、表示されたタイトルリストまたは詳細情報から所望のコンテンツを選択するステップと、テープメディアに記録された暗号化された複数のコンテンツの中から選択されたコンテンツのデータを読み出すステップと、読み出されたコンテンツのデータを復号するステップとを有することを特徴とするテープ再生方法である。
【００１５】
請求項２７に記載の発明は、記録部は、複数のコンテンツのタイトルリストおよび詳細情報を作成する作成手段と、タイトルリスト、詳細情報および暗号化された複数のコンテンツをテープメディアに記録する記録手段とを有し、再生部は、テープメディアのパッケージに設けられたメモリに記録されたタイトルリストと、テープメディアに記録されたタイトルリスト内で選択されたコンテンツの詳細情報とを表示する表示部と、表示されたタイトルリストまたは詳細情報から所望のコンテンツを選択する選択手段と、選択されたコンテンツのデータをテープメディアから読み出す読み出し手段と、読み出されたコンテンツのデータを復号する復号手段とを有し、暗号化された複数のコンテンツを復号するときの復号鍵は、複数のコンテンツを暗号化するときの暗号方式と異なる暗号方式で暗号化されテープメディアに記録されていることを特徴とするテープ記録再生装置である。
【００１６】
請求項４０に記載の発明は、ブロック単位のデータストリームであって、一部のブロックを暗号化し、他のブロックは暗号化しないようにしたことを特徴とする暗号化方法である。
【００１７】
請求項４１に記載の発明は、ブロック単位のデータストリームであって、ブロック内の一部のデータのみ暗号化するようにしたことを特徴とする暗号化方法である。
【００１８】
複数のコンテンツが記録された大容量テープメディアであっても複数のコンテンツのタイトルリストや詳細情報から所望のコンテンツを容易に選択し、再生することができる。
【００１９】
【発明の実施の形態】
以下、この発明の一実施形態について図面を参照して説明する。図１は、この発明が適用された一実施形態の全体的構成を示す。図１を参照して、テープメディアに記録されている複数のコンテンツの情報テーブル、および静止画（サムネイル：縮小画像）を伴うテープメディア上の位置情報を持つ必要があるため、テープメディア作成システムと再生専用プレーヤとの組み合わせたシステムを説明する。
【００２０】
また、この一実施形態では、複数のコンテンツを記録／再生するためのテープメディアの一例として、サーバなどのバックアップ用のテープメディアを使用する。さらに、このテープメディアのカートリッジには、数ＫＢのフラッシュメモリ（以下、単に「フラッシュメモリ」と称した場合、カートリッジに設けられたフラッシュメモリを指す）、例えばＭＩＣ（Ｍｅｍｏｒｙ  Ｉｎ  Ｃａｓｓｅｔｔｅ）が設けられ、このフラッシュメモリに記録内容を保持することで、サーチの高速化、サーチによるテープの磨耗防止、テープ上でのパーティションの分割管理などができる。
【００２１】
参照符号１で示すレコーディングシステムは、複数のコンテンツデータを蓄えているファイルサーバ３、モニタが接続されているパーソナルコンピュータ（以下、単に「ＰＣ」と称する）４および５がネットワーク２で接続されている。ＰＣ５には、テープメディア７に複数のコンテンツデータや当該コンテンツデータに関連する情報を書き込むことができる書き込みデバイス６が接続されている。
【００２２】
ファイルサーバ３に蓄積されている複数のコンテンツデータは、一例としてＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）で暗号化され蓄積されている。
【００２３】
ＰＣ４は、エディタおよび／またはコンパイラに用いられるＰＣであり、接続されているモニタ上にグラフィカルなユーザインタフェースを持ち、そのモニタ上でテープメディア７へ書き込むコンテンツのタイトルリストの編集およびチャプタサーチ用の画面設定、サムネイルを取り込み、作成する。
【００２４】
ＰＣ５には、テープメディア７にコンテンツおよびチャプタサーチなどの情報テーブルを書き込むための書き込みデバイス６が接続され、Ｄｕｐｌｉｃａｔｉｎｇシステムが構成される。
【００２５】
ＰＣ５は、ＰＣ４で作成されたリストに基づいて、ファイルサーバ３からコンテンツをテープメディア７に書き込む。このとき、ＰＣ４で作成されたチャプタサーチなどの情報テーブルも同時に書き込む。
【００２６】
書き込みデバイス６は、１つのテープメディアへの書き込みを行う単体ドライブ装置や、複数のテープメディアを内臓ドライブに自動で交換しながら書き込みを行うテープライブラリ装置の何れであっても良い。また、テープメディア７に書き込むデータによって複数の単体ドライブ装置および／またはテープライブラリ装置を１台のＰＣに接続するようにしても良い。
【００２７】
このようにレコーディングシステム１で複数のコンテンツおよびその情報テーブルが書き込まれたテープメディア７は、再生装置８で書き込まれた映像データが読み出される。読み出された映像データが映像信号および音声信号にデコードされる。デコードされた映像信号は、再生装置８に接続されているディスプレイモニタ９に表示され、デコードされた音声信号は、スピーカ（図示なし）へ出力される。
【００２８】
この図１中では、レコーディングシステム１を構成するファイルサーバ３、ＰＣ４、５および書き込みデバイス６は、それぞれ１つずつとしているが、それぞれ１つに限定するものではなく、適宜複数個を設けるようにしても何ら問題はない。また、ネットワーク２で接続されていれば、それぞれの機器が全く異なる場所に設置されていても良い。
【００２９】
ここで、図２のブロック図を参照して、再生装置８を説明する。プラグ１１を介して外部から交流の商用電源が再生装置８に供給される。供給された商用電源は、電源ユニット１２へ供給され、電源ユニット１２では、商用電源から３．３Ｖ、５Ｖ、および１２Ｖの直流電圧が生成される。ファン１３には、電源ユニット１２から５Ｖの直流電圧が供給される。テープユニット１４およびマザーボード１５には、電源ユニット１２から３．３Ｖ、５Ｖ、および１２Ｖの直流電圧が供給される。また、電源ユニット１２で生成された３．３Ｖ、５Ｖ、および１２Ｖの直流電圧は、再生装置８の基板内に分配される。
【００３０】
テープユニット１４は、ＩＤＥ（Ｉｎｔｅｇｒａｔｅｄ  Ｄｅｖｉｃｅ  Ｅｌｅｃｔｒｏｎｉｃｓ）に準拠したインタフェースを備えている。このテープユニット１４にテープメディア７が装填され、テープメディア７から読み出される映像データは、ＩＤＥバスを介してマザーボート１５へ供給される。マザーボード１５では、供給された映像データが映像信号および音声信号にデコードされる。デコードされた映像信号は、参照符号１７で示すようにディスプレイモニタ９へ供給され、デコードされた音声信号は、参照符号１８で示すようにスピーカ（図示なし）へ供給される。
【００３１】
この再生装置８の制御は、リモートコントローラ（図示なし、以下「リモコン」と称する）のキーおよび前面パネルに用意されたキーを操作することによって行われる。参照符号１９で示すリモコンから出力される赤外線（以下、「リモコン信号」と称する）は、ディスプレイボード１６に設けられている受光素子で受信される。受信されたリモコン信号は、パラレルインタフェースを介してマザーボード１５へ供給される。前面パネルに用意されているキーもディスプレイボード１６に実装され、リモコンからの信号と同様にキーが操作されると、パラレルインタフェースを介してマザーボード１５へ供給される。
【００３２】
次に、図３のブロック図を参照して、マザーボード１５を説明する。マザーボード１５は、ＣＰＵ（Ｃｅｎｔｒａｌ  Ｐｒｏｃｅｓｓｉｎｇ  Ｕｎｉｔ）２１と周辺デバイスとから構成される。この図３では、周辺デバイスは、ブートメモリ２２、ディスクメモリ２３、ＲＯＭ（Ｒｅａｄ  Ｏｎｌｙ  Ｍｅｍｏｒｙ）２４、ＲＡＭ（Ｒａｎｄｏｍ  Ａｃｃｅｓｓ  Ｍｅｍｏｒｙ）２５、ＭＰＥＧデコーダ２６、オーディオ復号部２７、コントローラ２８から構成される。
【００３３】
ＣＰＵ２１は、再生装置８を制御するメインのプロセッサである。ＭＰＥＧデコーダ２６でデコードされた映像信号は、参照符号３４で示すように出力される。このとき出力される映像信号は、例えばコンポジット信号でも良いし、ＹＵＶコンポーネント信号でも良いし、Ｓ−Ｖｉｄｅｏ信号でも良い。
【００３４】
ブートメモリ２２には、再生装置８の電源投入時に一番最初に読み出され、再生装置８を起動させるためのブートプログラムおよびＢＩＯＳ（Ｂａｓｉｃ  Ｉｎｐｕｔ／Ｏｕｔｐｕｔ  Ｓｙｓｔｅｍ）が記録されている。このブートプログラムが実行された後、ＢＩＯＳが設定され、ＯＳ（Ｏｐｅｒａｔｉｎｇ  Ｓｙｓｔｅｍ）が起動される。このブートメモリ２２は、ＩＳＡ（Ｉｎｄｕｓｔｒｙ  Ｓｔａｎｄａｒｄ  Ａｒｃｈｉｔｅｃｔｕｒｅ）に準拠したインタフェースを備え、ＩＳＡバスを介してＣＰＵ２１と接続される。
【００３５】
ディスクメモリ２３には、ＢＩＯＳが設定された後に起動されるＯＳおよび再生装置８のアプリケーションプログラムが記録されている。この一実施形態では、一例としてＬｉｎｕｘ  ＯＳがディスクメモリ２３に記録されている。このディスクメモリ２３は、ＩＤＥに準拠したインタフェースを備え、ＩＤＥバスを介してＣＰＵ２１と接続される。また、参照符号３１で示すように、上述したテープユニット１４もＩＤＥバスで接続されている。
【００３６】
ＲＯＭ２４には、電源を遮断しても揮発してはならないデータが記録されている。この一実施形態では、ＲＯＭ２４は一例としてＥＥＰＲＯＭ（ＥｌｅｃｔｒｉｃａｌｌｙＥｒａｓａｂｌｅ  ａｎｄ  Ｐｒｏｇｒａｍｍａｂｌｅ  Ｒｅａｄ  Ｏｎｌｙ  Ｍｅｍｏｒｙ）から構成される。
【００３７】
ＲＡＭ２５は、プログラム実行中に使用されるメモリである。この一実施形態では、ＲＡＭ２５は一例としてＤＩＭＭ（Ｄｕａｌ  Ｉｎ−ｌｉｎｅ  Ｍｅｍｏｒｙ  Ｍｏｄｕｌｅ）形式のメモリモジュールが使用される。
【００３８】
ＭＰＥＧデコーダ２６では、テープユニット１４から供給された映像データの映像信号がデコードされる。
【００３９】
オーディオ復号部２７では、テープユニット１４から供給された映像データの音声信号がデコードされる。デコードされた音声信号は、ディジタルオーディオ信号が参照符号３５で示すように出力され、アナログオーディオ信号が参照符号３６で示すように出力される。
【００４０】
コントローラ２８は、ディスプレイボード１６から供給される信号、すなわちリモコンのキーまたは前面パネルのキーの操作に応じて再生装置８を制御するプロセッサである。なお、コントローラ２８は、リモコンの電源キーによって再生装置８の電源のオン／オフを制御するためにＣＰＵ２１とは別のプロセッサから構成される。コントローラ２８の駆動に必要な電源も電源ユニット１２から供給される５Ｖの直流電源ではなく、再生装置８の電源遮断中にも供給可能なスタンバイ電源（図示なし）から５Ｖの直流電源が供給される。このコントローラ２８は、シリアルインタフェース、例えばＲＳ−２３２Ｃを備え、このＲＳ−２３２Ｃを介してＣＰＵ２１と接続される。
【００４１】
図４のブロック図を参照して、ＣＰＵ２１を説明する。ＢＩＯＳ４１は、上述したブートメモリ２２に記録され、電源投入後に最初に起動される。この再生装置８のアプリケーションモジュールは、ユーザインタフェースモジュール４２、コマンドルータモジュール４３、およびテープユニットモジュール４４の３つから構成される。テープユニットモジュール４４は、テープユニット１４およびＭＰＥＧデコーダ２６を制御する。これらのアプリケーションモジュールは、ＯＳ４５上で起動される。また、周辺デバイスを制御するためのデバイスドライバは、ＭＰＥＧデコーダドライバ４６、ＩＤＥドライバ４７、オーディオ復号ドライバ４８の３つから構成される。
【００４２】
コントローラ２８から供給される信号は、コマンドルータモジュール４３によって整理され、コマンド毎に切り取られる。切り取られたコマンドは、ユーザインタフェースモジュール４２に転送される。ユーザインタフェースモジュール４２では、ディスプレイモニタ９上への映像信号の出力を行う。このとき、コマンドルータモジュール４３から転送されたリモコンのキーまたは前面パネルのキーの操作に基づいて画面が更新される。例えば、メニューキーが押されると、ディスプレイモニタ９には、図５に示すタイトルリストが表示される。
【００４３】
ここで、図５に示すタイトルリストを説明する。コンテンツ数表示領域５１には、テープユニット１４に装填されているテープメディア７に記録されているコンテンツ数が表示される。この一例では、テープユニット１４に装填されているテープメディア７には、９９９種類のコンテンツが記録されている。
【００４４】
合計時間表示領域５２には、テープユニット１４に装填されているテープメディア７に記録されている全てのコンテンツの合計時間が表示される。この一例では、テープユニット１４に装填されているテープメディア７に記録されている９９９種類のコンテンツの合計時間は、９９時間３２分になる。
【００４５】
ジャンル表示領域５３には、テープユニット１４に装填されているテープメディア７に記録されているコンテンツのジャンルが表示される。この一例では、現在映画のジャンルが選択されている。
【００４６】
矢印５４および５５は、テープユニット１４に装填されているテープメディア７に記録されているコンテンツが属するジャンルがある場合に表示される。例えば、矢印５４が濃く表示されている場合、選択されている映画のジャンルから矢印５４側に表示されているロマンティックのジャンルおよび／またはドラマのジャンルに属するコンテンツがあることを示す。矢印５４が薄く表示されている場合、矢印５４側に表示されているロマンティックのジャンルおよび／またはドラマのジャンルに属するコンテンツがないことを示す。
【００４７】
同様に矢印５５が濃く表示されている場合、選択されている映画のジャンルから矢印５５側に表示されているコメディのジャンルおよび／またはホビーのジャンルに属するコンテンツがあることを示す。矢印５５が薄く表示されている場合、矢印５５側に表示されているコメディのジャンルおよび／またはホビーのジャンルに属するコンテンツがないことを示す。
【００４８】
なお、この図５中では、ジャンル表示領域５３には、５つのジャンルが表示されているが、これは表示領域の制限からテープメディア７に記録されている全てのコンテンツが属するジャンルが表示されていないだけである。例えば、左右カーソルキーを押すことによって、ジャンル表示領域５３に表示されているジャンルが左右にスライドし、表示される。
【００４９】
コンテンツ表示領域５６には、テープユニット１４に装填されているテープメディア７に記録されているコンテンツが表示される。この一例では、リファレンス番号、タイトル、時間が表示されている。またカーソル５７は、リファレンス番号「００４」のコンテンツを選択している。
【００５０】
矢印５８および５９は、テープユニット１４に装填されているテープメディア７に記録されているコンテンツがある場合に表示される。例えば、矢印５８が濃く表示されている場合、コンテンツ表示領域５６の最上部に表示されているコンテンツのリファレンス番号より小さいリファレンス番号のコンテンツがテープユニット１４に装填されているテープメディア７に記録されていることを示す。矢印５８が薄く表示されている場合、コンテンツ表示領域５６の最上部に表示されているコンテンツのリファレンス番号より小さいリファレンス番号のコンテンツがテープユニット１４に装填されているテープメディア７には記録されていないことを示す。
【００５１】
同様に矢印５９が濃く表示されている場合、コンテンツ表示領域５６の最下部に表示されているコンテンツのリファレンス番号より大きいリファレンス番号のコンテンツがテープユニット１４に装填されているテープメディア７に記録されていることを示す。矢印５９が薄く表示されている場合、コンテンツ表示領域５６の最下部に表示されているコンテンツのリファレンス番号より大きいリファレンス番号のコンテンツがテープユニット１４に装填されているテープメディア７には記録されていないことを示す。
【００５２】
なお、この図５中では、コンテンツ表示領域５６には、５つのコンテンツが表示されているが、これは表示領域の制限からテープメディア７に記録されている全てのコンテンツが表示されていないだけである。例えば、上下カーソルキーを押すことによってカーソル５７の位置が上下し、カーソル５７の移動に応じてコンテンツが上下にスライドし、表示される。
【００５３】
このように、表示されたタイトルリストを見ながら、上下カーソルキーが押されると、タイトルリスト上のカーソル５７の位置が上下し、新たにカーソル５７で選択されたタイトルが例えばハイライトで表示されるように画面が更新される。
【００５４】
このタイトルリスト上でディスクリプションキーが押されると、ユーザインタフェースモジュール４２は、カーソルで選択され、ハイライトで表示されているタイトルの詳細情報画面（図６参照）をディスプレイモニタ９に表示する。
【００５５】
ここで、図６に示す詳細情報画面を説明する。タイトル表示領域６１には、現在詳細情報が表示されているコンテンツのタイトルが表示される。この一例では、リファレンス番号、タイトル、時間が表示されている。
【００５６】
矢印６２および６３には、テープユニット１４に装填されているテープメディア７に記録されているコンテンツがある場合に表示される。例えば、矢印６２が濃く表示されている場合、タイトル表示領域６１に表示されているコンテンツのリファレンス番号より小さいリファレンス番号のコンテンツがテープユニット１４に装填されているテープメディア７に記録されていることを示す。矢印６２が薄く表示されている場合、タイトル表示領域６１に表示されているコンテンツのリファレンス番号より小さいリファレンス番号のコンテンツがテープユニット１４に装填されているテープメディア７には記録されていないことを示す。
【００５７】
同様に矢印６３が濃く表示されている場合、タイトル表示領域６１に表示されているコンテンツのリファレンス番号より大きいリファレンス番号のコンテンツがテープユニット１４に装填されているテープメディア７に記録されていることを示す。矢印６３が薄く表示されている場合、タイトル表示領域６１に表示されているコンテンツのリファレンス番号より大きいリファレンス番号のコンテンツがテープユニット１４に装填されているテープメディア７には記録されていないことを示す。
【００５８】
サムネイル表示領域６４には、詳細情報が表示されているコンテンツの特徴的な画像が静止画の縮小画像として表示される。
【００５９】
情報テーブル表示領域６５には、詳細情報が表示されているコンテンツに関する関連情報が表示される。
【００６０】
矢印６６および６７には、詳細情報が表示されているコンテンツの関連情報がある場合に表示される。例えば、矢印６６が濃く表示されている場合、表示されている関連情報の最上部より上にも情報があることを示す。矢印６６が薄く表示されている場合、表示されている関連情報の最上部より上には情報がないことを示す。
【００６１】
同様に、矢印６７が濃く表示されている場合、表示されている関連情報の最下部より下にも情報があることを示す。矢印６７が薄く表示されている場合、表示されている関連情報の最下部より下には情報がないことを示す。
【００６２】
ユーザは、見たいコンテンツのタイトルをタイトルリストで選択し、エンターキーを押すか、一度詳細情報画面を表示させ詳細情報を確認してからエンターキーを押すことによって、コンテンツを選択する。ユーザインタフェースモジュール４２は、エンターキーが押されたことをコマンドルータモジュール４３から受け取ると、テープユニットモジュール４４に対して、選択されたコンテンツのテープメディア７上の記録位置をサーチするようにコマンドを発行する。また、テープユニットモジュール４４は、テープユニット１４へコマンドを発行し、記録位置をサーチし、サーチが終了すると、ユーザインタフェースモジュール４２へコマンド完了を通知する。
【００６３】
次に、ユーザインタフェースモジュール４２は、テープユニットモジュール４４へチャプタサーチおよびシーンサーチ用のサムネイルおよび情報テーブルの読み出しコマンドを発行する。テープユニットモジュール４４は、テープユニット１４へリードコマンドを発行して、データを読み出す。データの読み出しが終了すると、テープユニットモジュール４４は、ユーザインタフェースモジュール４２へコマンド完了を通知し、読み出したデータが受け渡される。データは、ＲＡＭ２５上にファイルとして記録され、ユーザインタフェースモジュール４２は、ＲＡＭ２５上のファイルを読み出すことでサーチ用のサムネイルおよび情報テーブルの受け取りが可能である。
【００６４】
ユーザインタフェースモジュール４２は、次にコンテンツの再生コマンドを発行する。テープユニットモジュール４４は、再生コマンドを受け取ると、テープユニット１４にリードコマンドを発行し、コンテンツの映像データを読み出し、ＭＰＥＧデコーダ２６およびオーディオ復号部２７でデコードが開始される。デコードされた映像信号は、ディスプレイモニタ９に表示され、デコードされた音声信号は、スピーカに出力される。
【００６５】
ユーザは、コンテンツの再生中にポーズキーやストップキーを押して、再生を停止することができる。このときもユーザインタフェースモジュール４２では、キー入力をコマンドルータモジュール４３から受け取り、テープユニットモジュール４４に対して、ポーズコマンドまたはストップコマンドを発行する。テープユニットモジュール４４は、テープユニット１４の再生動作を停止させ、ＭＰＥＧデコーダ２６およびオーディオ復号部２７のデコード動作を停止させる。
【００６６】
ここで、上述したように大容量のデータを記録するために、サーバなどのバックアップ用のテープメディア７を使用するため、データの書き込み／読み出しに特化した再生装置を利用する場合がある。このデータの書き込み／読み出しに特化した再生装置の場合、コンテンツの可変速再生、逆方向再生を実現するようなデータの読み出しは困難である。このような再生装置であっても、ＤＶＤプレーヤやＨＤＤプレーヤのようにコンテンツ再生中に、チャプタサーチの機能を実現可能とする一例を説明する。
【００６７】
コンテンツ再生中にチャプタキーまたはサーチキーを押すと、コマンドルータモジュール４３から通知を受けたユーザインタフェースモジュール４２は、コンテンツ再生の前にテープユニットモジュール４４がＲＡＭ２５に書き込んだサーチ情報のファイルを読み出して、図７に示すようなチャプタサーチ画面をディスプレイモニタ９に表示する。
【００６８】
この図７に示すチャプタサーチ画面を説明する。タイトル表示領域７１には、再生中のコンテンツのタイトルが表示される。この一例では、タイトルおよび時間が表示されている。
【００６９】
チャプタ表示領域７２には、チャプタ毎の先頭映像のサムネイルと、先頭の時刻位置とが表示される。この一例では、サムネイルの下に時刻が表示されている。現在、カーソルは、２４分のチャプタの位置にある。
【００７０】
矢印７３および７４には、表示されている時刻より前の時刻または後の時刻にチャプタがある場合に表示される。例えば、矢印７３が濃く表示されている場合、表示されている左側のチャプタよりも前の時刻にチャプタがあることを示す。矢印７３が薄く表示されている場合、表示されている左側のチャプタよりも前の時刻にチャプタがないことを示す。
【００７１】
同様に、矢印７４が濃く表示されている場合、表示されている右側のチャプタよりも後の時刻にチャプタがあることを示す。矢印７４が薄く表示されている場合、表示されている左側のチャプタよりも後の時刻にチャプタがないことを示す。
【００７２】
説明表示領域７５には、カーソルで選択されているチャプタを説明する文章が表示される。
【００７３】
このチャプタサーチ画面がディスプレイモニタ９に表示されているときに、ユーザは、左右カーソルキーを使用してサムネイルを選択し、エンターキーを押してチャプタを選択する。そして、選択されたチャプタの頭出しが行われる。左右カーソルキーを一度押すと隣のサムネイルへカーソルが移動し、カーソル位置のサムネイルがハイライトに表示される。なお、一定時間以上左右カーソルキーを押し続けると、画面単位、この図７の一例では、５つのチャプタ毎（サムネイル毎）にページ送りすることができ、画面を更新することができる。
【００７４】
この制御もコマンドルータモジュール４３からのキーの入力情報を受け取った、ユーザインタフェースモジュール４２が行う。エンターキーが押されたことをコマンドルータモジュール４３から受け取ると、ユーザインタフェースモジュール４２は、テープユニットモジュール４４に対して選択されたチャプタ位置へサーチするように、コマンドを発行し、サーチが終了すると、映像データの再生コマンドを発行する。
【００７５】
上述したようにデータの書き込み／読み出しに特化した再生装置では、通常のＶＴＲのような早送り再生や巻き戻し再生に対応した機能はない。そこで、これらの再生機能を補うために、チャプタサーチに加えて、もう一種類のサーチ機能として、このような再生装置において、シーンサーチ機能を実現する一例を図８を参照し、説明する。
【００７６】
この図８に示すシーンサーチ画面を説明する。タイトル表示領域８１には、再生中のコンテンツのタイトルが表示される。この一例では、タイトルおよび時間が表示されている。
【００７７】
シーン表示領域８２には、一定時間毎、この一例では、１分毎のサムネイルと、その時刻位置とが表示される。この一例では、サムネイルの下に時刻が表示されている。現在、カーソルは、２４分のシーンの位置にある。また、時刻の間隔は、３０秒、１分、２分、３分、４分、５分など任意に設定することができる。
【００７８】
矢印８３および８４には、表示されている時刻より前の時刻または後の時刻にシーンがある場合に表示される。例えば、矢印８３が濃く表示されている場合、表示されている左側のシーンよりも前の時刻にシーンがあることを示す。矢印８３が薄く表示されている場合、表示されている左側のシーンよりも前の時刻にシーンがないことを示す。
【００７９】
同様に、矢印８４が濃く表示されている場合、表示されている右側のシーンよりも後の時刻にシーンがあることを示す。矢印８４が薄く表示されている場合、表示されている左側のシーンよりも後の時刻にシーンがないことを示す。
【００８０】
スクロール時刻表示領域８５は、このコンテンツの時間の長さが割り当てられている。この一例では、このスクロール時刻表示領域８５の横の長さが１時間２７分に割り当てられている。
【００８１】
再生時刻マーク８６は、現在再生している時刻に該当するスクロール時刻表示領域８５の上側の位置に表示される。
【００８２】
シーン時刻マーク８７は、シーン表示領域８２中の中央のサムネイルの位置となるシーンの時刻に該当するスクロール時刻表示領域８５中の位置に表示される。なお、シーン時刻マーク８７は、シーン表示領域８２でカーソルの位置となるシーンの時刻に該当するスクロール時刻表示領域８５中の位置に表示されるようにしても良い。
【００８３】
このシーンサーチ画面がディスプレイモニタ９に表示されているときに、ユーザは、コンテンツの再生中に左右カーソルキーの何れかを押すことで、シーンサーチ画面を表示させることができる。シーンサーチは、チャプタサーチと似ているが、この画面に表示されているサムネイルはチャプタサーチとは異なり、チャプタ毎の画面ではなく、コンテンツの画像を一定時間毎、例えば３０秒毎〜５分毎に機械的に切り出したサムネイルである。
【００８４】
コンテンツ再生中に左カーソルキーを押した場合、現在再生している映像より前の時刻となる一定時間毎のサムネイルが表示され、右カーソルキーを押した場合、現在再生している映像より後の時刻となる一定時間毎のサムネイルが表示される。
【００８５】
ここで左右カーソルキーによってサムネイルを選択し、エンターキーを押すことで選択されたサムネイルの位置に移動する。左右カーソルキーを１度押すと隣のサムネイルへカーソルが移動し、カーソル位置のサムネイルがハイライトに表示される。なお、一定時間以上左右カーソルキーを押し続けると、スクロール時刻表示領域８５中のシーン時刻マーク８７のみが移動する。そして、左右カーソルキーを離すと、シーン時刻マーク８７の移動が停止する。シーン表示領域８２に表示されるサムネイルが、シーン時刻マーク８７が停止した位置を中心としたサムネイルに更新される。
【００８６】
これらの左右カーソルキーの入力は、コマンドルータモジュール４３に通知される。ここで表示に使用している情報も、チャプタサーチの場合と同様にコンテンツの再生前に読み出した情報がファイルとしてＲＡＭ２５に記録されているので、ユーザインタフェースモジュール４２がそのファイルを読み出すことでシーン表示領域８２に表示されるサムネイルが更新される。エンターキーの入力がコマンドルータモジュール４３から通知されると、ユーザインタフェースモジュール４２は、チャプタサーチの場合と同様にテープユニットモジュール４４に対してコマンドを発行する。
【００８７】
なお、可変速でデータを読み出す機能を備えていない再生装置であっても、読み出したデータをＲＡＭ２５に蓄えて通常の読み出し速度と異なるレートでデータ転送してデコードを行うことによって、早送り再生や巻き戻し再生を行うことは可能である。これはＭＰＥＧの転送レートより、再生装置のデータ転送レートの方が早い場合に成立する。
【００８８】
ここで、これらの操作を実現するためのデータフォーマットを説明する。テープメディア７を再生装置８から出し入れ（Ｌｏａｄ／Ｕｎｌｏａｄ）を行うときにテープにダメージを与えてしまうため、テープの先頭にＬｏａｄ／Ｕｎｌｏａｄ用の領域（以下、「Ｌｏａｄ／Ｕｎｌｏａｄ領域」と称する）を確保している。また、テープメディア７のカートリッジには、上述したようにフラッシュメモリが設けられ、システム情報が格納されている。Ｌｏａｄ／Ｕｎｌｏａｄ領域の次にパーティションと呼ぶデータを書き込む領域があり、このパーティションには、フラッシュメモリと同様のデータを書き込むシステム領域と、実際にデータを書き込むデータ領域とで構成される。
【００８９】
このＬｏａｄ／Ｕｎｌｏａｄ領域およびパーティションは、一本のテープに対して通常１つで構成されるが、複数のパーティションを持つことも可能である。Ｌｏａｄ／Ｕｎｌｏａｄ領域において、テープの出し入れを行うため、１つのパーティションで構成されていると、テープを出し入れする度にテープの先頭ＢＯＴ（Ｂｅｇｉｎｎｉｎｇ  Ｏｆ  Ｔａｐｅ）までテープを巻き戻す必要がある。
【００９０】
通常のＶＴＲでは、テープメディアを再生した後、当該テープメディアを取り出すときには、再生を停止させたテープの位置で取り出せるため、次にテープメディアをＶＴＲにに装填すると再生を停止させた位置から続きを見ることができる。
【００９１】
そこで、この実施形態では、図９に示すように複数のパーティションから構成する。この図９の一例では、Ｐ０〜Ｐ１０の１１個のパーティションで構成し、図９中矢印で示すように、パーティションの先頭にＬｏａｄ／Ｕｎｌｏａｄ領域が設けられている。この１１個のパーティションＰ０〜Ｐ１１の先頭に設けられたＬｏａｄ／Ｕｎｌｏａｄ領域において、テープメディア７を出し入れすることができるので、再生していたコンテンツの近くの位置でテープメディア７を取り出すことができる。
【００９２】
ここで、パーティションＰ０〜Ｐ９には、映像データなどのコンテンツを記録しているが、最後のパーティションＰ１０には、コンテンツを記録しない。これは事実上のテープの最後においてもテープメディア７の取り出しを行うためである。ただし、このパーティションＰ１０は、ユーザに開放して、映像データなどのコンテンツ以外のデータを自由に記録することができる。なお、図９に示すように、テープの最後はＥＯＴ（Ｅｎｄ  Ｏｆ  Ｔａｐｅ）となる。
【００９３】
テープメディア７を再生装置８に挿入すると、再生装置８は、最初にフラッシュメモリからシステム情報を読み出す。これはフラッシュメモリに記録されているため、瞬時に読み出すことが可能である。
【００９４】
次に、テープメディア７のロードが行われる。すなわち、再生用の回転ドラムヘッドにテープが巻きつけられる。ロードが行われた後、パーティション内に記録されたシステム領域からシステム情報が読み出される。
【００９５】
ここで、フラッシュメモリに記録されているテープメディアのアプリケーションＩＤや、テープメディアのカートリッジの検出穴の状態を検出し、フォーマットが異なるテープメディアであると判別した場合には、再生装置８はテープの読み書きを禁止し、エラーとなる。このようにして、テープメディア７に記録されているコンテンツの不正コピーを防御している。
【００９６】
また、特定のユーザのみが再生可能なようにユーザＩＤを設けるようにしても良い。
【００９７】
次に、各パーティション内のデータの配置を図１０に示す。通常は各パーティションには、１つのコンテンツの映像データが記録されるが、コンテンツ数が多い場合には、１パーティションに対して複数のコンテンツを記録することも可能としている。この図１０の一例では、１つのパーティションに３つのコンテンツが記録されている。
【００９８】
各パーティションの先頭には、フラッシュメモリと同じデータを記録するＡ１領域が設けられている。フラッシュメモリは、テープカートリッジ上の接点を介して読み書きするため、接点の接触不良により読み出せない可能性もある。そこでテープ上のデータ領域の先頭にもフラッシュメモリの情報をバックアップしている。なお、このフォーマットでは、パーティションの先頭に位置するシステム領域は使用していない。
【００９９】
このフォーマットでは、記録している映像データを暗号化している。Ａ１領域の次には、この暗号化したデータを復号するための復号鍵を記録するＫ領域が設けられている。なお、暗号化／復号化の方式に関しては後述する。
【０１００】
Ａ１領域およびＫ領域の情報が読み出せなかった場合、テープ全体の情報の読み出しおよびコンテンツの再生ができなくなるため、このＡ１領域およびＫ領域だけは、再試行を伴う読み出しを行いデータを保証する。なお、残りの領域、Ａ２領域、Ｂ領域、およびＣ領域は、読み出しがエラーとなった場合であっても、そのエラーとなった部分以外は映像として再生できるため再試行は行わない。
【０１０１】
フラッシュメモリおよびＡ１領域には、テープメディア７に記録されている全てのコンテンツのタイトルのリストが記録されている。従って、カートリッジを再生装置に挿入すると、フラッシュメモリを読み出した時点でディスプレイモニタ９の画面上にタイトルリスト（図５参照）を表示することが可能となる。
【０１０２】
この情報は、文字だけの情報であるためフラッシュメモリに記録することが可能となっているが、メモリの容量の都合上、静止画像を伴う情報はフラッシュメモリに記録することができない。そこで、静止画像を伴う情報は別の領域に記録している。この実施形態では、これらの情報は、Ａ２領域およびＢ領域の２つの領域に分けて記録している。
【０１０３】
Ａ２領域には、テープメディア７に記録されている全てのコンテンツの詳細情報が記録されている。Ａ２領域は、フラッシュメモリの情報を読み出した後、および確認のためＡ１領域のバックアップデータを読み出した後、最初にデータを読み出す領域であり、Ａ２領域のデータを読み出した後は各コンテンツの詳細情報を確認することができる。
【０１０４】
このとき、全てのコンテンツの詳細情報を一度に読み出される。これは、詳細情報は再生するコンテンツを選択するために見るものであるため、上下カーソルキーで切り替えながら全てのコンテンツの詳細情報を確認することができるようにするためである。
【０１０５】
フラッシュメモリのタイトルリスト情報およびＡ２領域の全てのコンテンツの詳細情報は、ＲＡＭ２５にファイルとして書き込まれ、電源遮断またはテープメディア７の取り出しが行われるまでは、常に参照できる。このため、ユーザは常にメニューキーを押して、タイトルリストを表示させたり、ディスクリプションキーを押して各コンテンツの詳細情報を表示させたりして、コンテンツの内容を確認することができる。
【０１０６】
Ｂ領域は、コンテンツの映像データが記録されるＣ領域と対になっており、コンテンツ毎に、そのコンテンツのサーチに使用するサムネイルのデータと、そのサムネイルに対応するテープ上の位置（Ｌｏｇｉｃａｌ  Ｂｌｏｃｋ  Ａｄｄｒｅｓｓ）を記録している。この図１０の実施形態では、Ｂ１領域、Ｃ１領域、Ｂ２領域、Ｃ２領域、Ｂ３領域、およびＣ３領域の順序で連続して３つのコンテンツが記録されている。
【０１０７】
上述したようにサーチには、チャプタサーチとシーンサーチの２つのサーチが存在するため、それらは２つのサーチ機能毎にサムネイル／位置情報のテーブルを持っている。サムネイルは、コンテンツ毎に大量のデータとなるため、Ａ２領域とは異なり、Ｂ領域はコンテンツ毎に構成している。一例として、コンテンツ毎に、約５０枚分のチャプタサーチ用のサムネイルの容量が確保され、約３００枚分のシーンサーチ用のサムネイルの容量が確保される。
【０１０８】
Ｂ領域およびＣ領域は、タイトルリスト画面（図５参照）または詳細情報画面（図６参照）でエンターキーが押されて再生するコンテンツが選択されたときに、そのコンテンツに対応するＢ領域のデータが読み出され、その後続けてＣ領域の映像データの再生へと進む。
【０１０９】
Ｂ領域のデータは、Ｃ領域の映像データの読み出し中のみＲＡＭ２５にファイルとして保存されている。そのためコンテンツの再生中は、そのコンテンツのチャプタサーチおよびシーンサーチを何時でも行うことができる。次に別のコンテンツが選択されると、そのコンテンツに対応したＢ領域の情報が読み出され、ＲＡＭ２５のファイルは置き換えられる。すなわち、ファイルが上書きされる。
【０１１０】
また、図１０中にＦで示すファイルマークは、Ａ１領域、Ｋ領域、Ａ２領域、Ｂ領域、およびＣ領域の最後に付されている。コンテンツの先頭をサーチする場合、アドレスをサーチするよりもファイルマークＦをサーチする方が早くコンテンツの先頭をサーチすることができる。
【０１１１】
図１１のフローチャートを参照して、上述の操作の制御を説明する。ステップＳ１では、テープメディア７が再生装置８に装填される。ステップＳ２では、テープメディア７のパッケージに設けられているフラッシュメモリからテープメディア７に記録されているコンテンツのタイトルリスト（図５参照）が表示される。
【０１１２】
ステップＳ３では、リモコンまたは表面パネルのキーが押されたか否かが判断される。キーが押されていないと判断されると、ステップＳ２へ制御が戻り、上下カーソルキーが押されたと判断されると、ステップＳ４へ制御が移る。また、ディスクリプションキーが押されたと判断されると、ステップＳ５へ制御が移り、エンターキーが押されたと判断されると、ステップＳ９へ制御が移る。
【０１１３】
ステップＳ４では、押された上下カーソルキーに応じてコンテンツ表示領域５６中のカーソル５７がその位置を上下に移動する。そして、ステップＳ２へ制御が戻る。
【０１１４】
ステップＳ５では、カーソル５７の位置のコンテンツの詳細情報が読み込まれる。ステップＳ６では、読み込まれた詳細情報が図６に示すように詳細情報画面に表示される。
【０１１５】
ステップＳ７では、キーが押されたか否かが判断される。キーが押されていないと判断されると、ステップＳ６へ制御が戻り、上下カーソルキーが押されたと判断されると、ステップＳ８へ制御が移り、エンターキーが押されたと判断されると、ステップＳ１０へ制御が移る。
【０１１６】
ステップＳ８では、押された上下カーソルキーに応じたコンテンツの詳細情報が読み込まれる。そして、ステップＳ６へ制御が移る。
【０１１７】
ステップＳ９では、カーソル５７の位置のコンテンツが検索される。ステップＳ１０では、検索されたコンテンツの詳細情報が表示される。
【０１１８】
ステップＳ１１では、キーが押されたか否かが判断される。キーが押されていないと判断されると、ステップＳ１０へ制御が戻り、左右カーソルキーが押されたと判断されると、ステップＳ１２へ制御が移り、再生キーが押されたと判断されると、ステップＳ１３へ制御が移る。
【０１１９】
ステップＳ１２では、押された左右カーソルキーに応じたコンテンツが検索される。
【０１２０】
ステップＳ１３では、詳細情報画面に表示されていたコンテンツが再生される。
【０１２１】
ステップＳ１４では、キーが押されたか否かが判断される。キーが押されていない、またはポーズキー、ストップキーが押されたと判断されると、ステップＳ１３へ制御が戻り、メニューキーが押されたと判断されると、ステップＳ２へ制御が戻る。チャプタサーチキーが押されたと判断されると、ステップＳ１５へ制御が移り、左右カーソルキーが押されたと判断されると、ステップＳ１８へ制御が移る。
【０１２２】
ステップＳ１５では、図７に示すチャプタサーチ画面が表示される。ステップＳ１６では、チャプタ表示領域７２に表示されているサムネイルから所望のサムネイル（チャプタ）が選択される。ステップＳ１７では、エンターキーが押されたか否かが判断される。エンターキーが押されたと判断されると、ステップＳ２１へ制御が移り、エンターキーは未だ押されていないと判断されると、ステップＳ１６へ制御が戻る。
【０１２３】
ステップＳ１８では、図８に示すシーンサーチ画面が表示される。ステップＳ１９では、シーン表示領域８２に表示されているサムネイルから所望のサムネイル（シーン）が選択される。ステップＳ２０では、エンターキーが押されたと判断されると、ステップＳ２１へ制御が移り、エンターキーは未だ押されていないと判断されると、ステップＳ１９へ制御が戻る。
【０１２４】
ステップＳ２１では、チャプタサーチ画面またはシーンサーチ画面で選択されたチャプタ位置のアドレスまたはシーン位置のアドレスが読み込まれる。そして、ステップＳ１３へ制御が移る。
【０１２５】
ここで、コンテンツの暗号化／復号化に関して説明する。図１２に示すようにＫ領域には、そのパーティションに記録されている全てのコンテンツの暗号鍵が記録されている。暗号鍵は暗号化の過程で定期的に交換をしているため、Ｋ領域にも複数の復号鍵が記録されている。
【０１２６】
また、この図１２に示す実施形態では、コンテンツ毎に１つの復号鍵を使用する。Ｋ１は、Ｃ１領域に記録されているコンテンツを復号するときに使用され、Ｋ２は、Ｃ２領域に記録されているコンテンツを復号するときに使用され、Ｋ３は、Ｃ３領域に記録されているコンテンツを復号するときに使用される。
【０１２７】
コンテンツの再生時において、暗号の復号時にパフォーマンスが低下すると、データの転送レートが落ち、コンテンツの再生が実時間に追いつかない可能性がある。この実施形態では、パフォーマンスが低下しないように、全てのデータブロックを暗号化するのではなく、ブロック単位のデータストリームのブロックを間欠的に暗号化している。例えば、１データブロック毎に暗号化するようにしても良い。そして、暗号化するデータブロックの間隔を調整することによって、コンテンツを再生するビットレートを調整することができる。暗号化するデータブロックの間隔は、Ａ１領域に記録されている。
【０１２８】
この実施形態で用いられる復号鍵は、テープ上に記録されているため、平文のまま復号鍵を記録していると、暗号化の意味をなさないので、テープ上に記録され、コンテンツ復号時に必要とされる復号鍵自体を暗号化している。図１３を参照して、暗号化／復号化を説明する。
【０１２９】
図１３Ａを用いて暗号化を説明する。オリジナルＡＥＳ（Ａｄｖａｎｃｅｄ  Ｅｎｃｒｙｐｔｉｏｎ  Ｓｔａｎｄａｒｄ）方式の鍵１０１で、テープメディア７に記録するコンテンツの映像データが暗号化される。暗号化された映像データは、Ｃ領域に記録される。映像データを暗号化するときに使用した鍵１０１は、公開ＲＳＡ（Ｒｉｖｅｓｔ  Ｓｈａｍｉｒ  Ａｄｌｅｍａｎ）方式の鍵１０２で暗号化される。暗号化されたＡＥＳ方式の鍵１０１は、暗号ＡＥＳ鍵１０３となり、Ｋ領域に記録される。
【０１３０】
このように、この実施形態では、映像データをＡＥＳ方式で暗号化し、そのＡＥＳ方式で暗号化された映像データを復号するときの復号鍵は、ＲＳＡ方式で暗号化している。
【０１３１】
次に、図１３Ｂを用いて復号化を説明する。まず、暗号化されたＡＥＳ方式の鍵１１１がＫ領域から読み出される。読み出された鍵１１１は、再生装置８のＲＯＭ２４に記録されている非公開ＲＳＡ方式の鍵１１２で復号される。復号されたＡＥＳ方式の鍵１１１は、オリジナルＡＥＳ方式の鍵１１３となる。このオリジナルＡＥＳ方式の鍵１１３を使用して、Ｃ領域に記録されている暗号化された映像データが復号され、再生される。
【０１３２】
再生装置８は、ＲＯＭ２４にＲＳＡ方式の復号鍵を持っており、その復号鍵でＫ領域のデータを復号し、ＡＥＳ方式の復号鍵を入手する。そのＡＥＳ方式の復号鍵でＣ領域に記録されているコンテンツの映像データを復号する。
【０１３３】
また、この実施形態では、コンテンツの再生のパフォーマンスの低下を防ぐために、間欠的にブロックの暗号化を行うようにしているが、暗号鍵および復号鍵のビット長に合わせて、ブロックの所定の位置のデータのみを暗号化するようにしても良い。例えば、ブロックの先頭の数ビットまたは数十ビットのみを暗号化するようにしても良い。
【０１３４】
この発明は、上述したこの発明の一実施形態等に限定されるものではなく、この発明の要旨を逸脱しない範囲内で様々な変形や応用が可能である。
【０１３５】
【発明の効果】
この発明に依れば、テープメディアでありながら、ＤＶＤやＨＤＤレコーダのようなチャプタサーチ機能が実現できる。テープメディアでは、ＤＶＤやＨＤＤのようなディスクメディアに比較して、任意の位置への頭出しに時間を要するため、テープ内の記録情報の情報テーブルを持った場合に、その情報テーブルの読み出しに時間を要するが、マルチパーティションにより読み出し時間が短縮できる。
【０１３６】
この発明に依れば、大容量テープメディアによって長時間の映像の記録／再生を実現し（３５ＧＢテープ、４Ｍｂｐｓ転送レートで１９時間記録）、ネットワーク接続できない環境でも長時間の映像を容易に配布／再生できる。
【０１３７】
この発明に依れば、専用のカートリッジの構成となるので、他の再生装置では、データを読み出せず、さらにデータを暗号化しているため、映像データの不正コピーをガードすることができる。暗号化データの復号におけるパフォーマンスの低下もデータブロックを間引くことで映像の転送に差し障らないようにすることができる。映像の転送レートによって間引くデータブロックを可変できるのでＨＤの転送にも対応可能である。
【図面の簡単な説明】
【図１】この発明の一実施形態の全体的な構成について説明するためのブロック図である。
【図２】この発明が適用される再生装置を説明するためのブロック図である。
【図３】この発明が適用されるマザーボードを説明するためのブロック図である。
【図４】この発明が適用されるＣＰＵを説明するためのブロック図である。
【図５】この発明で適用されるタイトルリスト画面を説明するための略線図である。
【図６】この発明で適用される詳細情報画面を説明するための略線図である。
【図７】この発明で適用されるチャプタサーチを説明するための略線図である。
【図８】この発明で適用されるシーンサーチを説明するための略線図である。
【図９】この発明で適用されるテープフォーマットを説明するための略線図である。
【図１０】この発明で適用されるパーティションを説明するための略線図である。
【図１１】この発明で適用されるコンテンツの制御の一実施形態を説明するためのフローチャートである。
【図１２】この発明で適用されるＫ領域について説明するための略線図である。
【図１３】この発明で適用される暗号化／復号化について説明するための略線図である。
【符号の説明】
１・・・レコーディングシステム、２・・・ネットワーク、３・・・ファイルサーバ４、５・・・ＰＣ、６・・・書き込みデバイス、７・・・テープメディア、８・・・再生装置、９・・・ディスプレイモニタ、２１・・・ＣＰＵ、２２・・・ブートメモリ、２３・・・ディスクメモリ、２４・・・ＲＯＭ、２５・・・ＲＡＭ、２６・・・ＭＰＥＧデコーダ、２７・・・オーディオ復号部、２８・・・コントローラ
【図１】
2004185697.tif 000003
【図２】
2004185697.tif 000004
【図３】
2004185697.tif 000005
【図４】
2004185697.tif 000006
【図５】
2004185697.tif 000007
【図６】
2004185697.tif 000008
【図７】
2004185697.tif 000009
【図８】
2004185697.tif 000010
【図９】
2004185697.tif 000011
【図１０】
2004185697.tif 000012
【図１１】
2004185697.tif 000013
【図１２】
2004185697.tif 000014
【図１３】
2004185697.tif 000015